(57)【特許請求の範囲】
【請求項１】
エレベータのかごの上部両側に折り畳み自在に設けられた右側手摺及び左側手摺と、
前記右側手摺及び前記左側手摺の各両端部を、前記かごの上部前側及び後側でそれぞれ支持するＬ字状の複数の支持体と
を備え、
前記各支持体は、前記かごの間口方向に配置された下端部が、前記かごの上部に回動自在に設けられることによって折り畳み自在に構成され、組立状態において、前記かごの上方に突設される上端部が、前記右側手摺及び前記左側手摺の各端部にそれぞれ固定されることを特徴とするエレベータのかご上手摺装置。
【請求項２】
各支持体は、その上端部及び下端部間に、筋交い状の支えが設けられたことを特徴とする請求項１に記載のエレベータのかご上手摺装置。
【請求項３】
エレベータのかごの上部両側に折り畳み自在に設けられた右側手摺及び左側手摺と、
前記右側手摺の前側端部を、前記かごの上部前側で支持する外形が四角形状の第１の支持体と、
前記右側手摺の後側端部を、前記かごの上部後側で支持する外形が四角形状の第２の支持体と、
前記第１の支持体との間に所定の間隔を空けて配置され、前記左側手摺の前側端部を、前記かごの上部前側で支持する外形が四角形状の第３の支持体と、
前記第２の支持体との間に所定の間隔を空けて配置され、前記左側手摺の後側端部を、前記かごの上部後側で支持する外形が四角形状の第４の支持体と、
を備え、
前記各支持体は、前記かごの間口方向に配置された下端部が、前記かごの上部に回動自在に設けられることによって折り畳み自在に構成され、組立状態において、前記かごの上方に突設される上端部が、前記右側手摺及び前記左側手摺の各端部にそれぞれ固定されることを特徴とするエレベータのかご上手摺装置。
【請求項４】
各支持体は、その上端部に一側に開口する取付溝が形成された取付板が設けられ、
組立状態において、右側手摺又は左側手摺のかご内側側面と、前記右側手摺又は前記左側手摺に締結固定される締結手段とによって前記取付板が挟持されることにより、前記各支持体が前記右側手摺及び前記左側手摺の各端部にそれぞれ固定されることを特徴とする請求項１から請求項３の何れかに記載のエレベータのかご上手摺装置。
【請求項５】
右側手摺とこの右側手摺を支持する支持体の上端部、並びに、左側手摺とこの左側手摺を支持する支持体の上端部との間に、所定の長さを有する連結手段がそれぞれ設けられたことを特徴とする請求項１から請求項４の何れかに記載のエレベータのかご上手摺装置。
【請求項６】
エレベータのかごは、前側及び後側にそれぞれ出入口が設けられたことを特徴とする請求項１から請求項５の何れかに記載のエレベータのかご上手摺装置。
【発明の詳細な説明】
【技術分野】
【０００１】
この発明は、エレベータの保守作業時にかごの上部に起立されるとともに、不要時にかごの上部に折り畳まれて収納されるかご上手摺装置に関するものである。
【背景技術】
【０００２】
エレベータの保守作業時、保守作業員はエレベータ昇降路内を昇降するかごの上部に乗って作業を行うことが多い。このため、かごの上部には、保守作業時の安全性を確保するため、手摺装置が設置されている。しかし、かご上手摺装置は、かごの上方に突設されているため、昇降路頂部に十分な空間が確保されていないエレベータ装置においては、かごが最上階の乗場に停止した際に、昇降路頂部付近に設置された機器類に接触してしまうことがあり、機器類の損壊が発生する恐れがあった。
【０００３】
かかる問題を解決するものとして、かご室の上面に複数の保守作業用の手摺装置を折り畳み可能（起伏自在）に設置し、通常時は手摺装置を折り畳んで収納状態とし、保守作業時には手摺装置を収納状態から広げて組立状態とするとともに、手摺装置の収納状態を検出することができる検出器を備えたものが提案されている（例えば、特許文献１参照）。
【０００４】
【特許文献１】特開２００２−２８４４６９号公報
【発明の開示】
【発明が解決しようとする課題】
【０００５】
特許文献１記載のエレベータのかご上手摺装置では、その組立状態において所定の強度を確保すべく、かごの両側に配置された右側手摺及び左側手摺の各後側端部と、かごの後側に配置された後側手摺の両端部とが、それぞれボルトによって連結されている。しかし、かごの前側及び後側にそれぞれ出入口が形成された、いわゆる二方口エレベータ装置に上記かご上手摺装置が設置されると、保守作業員がかごの後側からかごの上部に搭乗する度に、後側手摺の収納作業及び組立作業を行う必要があり、作業性が著しく悪化するといった問題が生じていた。
【０００６】
この発明は、上述のような課題を解決するためになされたもので、その目的は、組立作業及び収納作業が容易で、且つ、十分な強度を確保することができるとともに、二方口エレベータ装置にも容易に適用可能なエレベータのかご上手摺装置を提供することである。
【課題を解決するための手段】
【０００７】
この発明に係るエレベータのかご上手摺装置は、エレベータのかごの上部両側に折り畳み自在に設けられた右側手摺及び左側手摺と、右側手摺及び左側手摺の各両端部を、かごの上部前側及び後側でそれぞれ支持するＬ字状の複数の支持体とを備え、各支持体は、かごの間口方向に配置された下端部が、かごの上部に回動自在に設けられることによって折り畳み自在に構成され、組立状態において、かごの上方に突設される上端部が、右側手摺及び左側手摺の各端部にそれぞれ固定されたものである。
また、この発明に係るエレベータのかご上手摺装置は、エレベータのかごの上部両側に折り畳み自在に設けられた右側手摺及び左側手摺と、右側手摺の前側端部を、かごの上部前側で支持する外形が四角形状の第１の支持体と、右側手摺の後側端部を、かごの上部後側で支持する外形が四角形状の第２の支持体と、第１の支持体との間に所定の間隔を空けて配置され、左側手摺の前側端部を、かごの上部前側で支持する外形が四角形状の第３の支持体と、第２の支持体との間に所定の間隔を空けて配置され、左側手摺の後側端部を、かごの上部後側で支持する外形が四角形状の第４の支持体と、を備え、各支持体は、かごの間口方向に配置された下端部が、かごの上部に回動自在に設けられることによって折り畳み自在に構成され、組立状態において、かごの上方に突設される上端部が、右側手摺及び左側手摺の各端部にそれぞれ固定されたものである。
【発明の効果】
【０００８】
この発明に係るエレベータのかご上手摺装置であれば、組立作業及び収納作業が容易で、且つ、十分な強度を確保することができる。また、二方口エレベータ装置にも容易に適用することができる。
【発明を実施するための最良の形態】
【０００９】
この発明をより詳細に説明するため、添付の図面に従ってこれを説明する。なお、各図中、同一又は相当する部分には同一の符号を付しており、その重複説明は適宜に簡略化ないし省略する。
【００１０】
実施の形態１．
図１はこの発明の実施の形態１におけるエレベータのかご上手摺装置の組立状態を示す斜視図、図２は図１に示すエレベータのかご上手摺装置の要部詳細図、図３は図１におけるＡ部詳細図である。なお、図１乃至図３に示すエレベータ装置は、エレベータのかごの前側及び後側にそれぞれ出入口が形成され、各階床の乗場によってかごの前側からかごに乗降したり、後側から乗降したりする、いわゆる二方口エレベータ装置を示している。
【００１１】
図１乃至図３において、１はエレベータ昇降路内を昇降するかごに設けられたかご室であり、このかご室１の前側及び後側にそれぞれかご出入口が形成されている。また、２はかご室１の前側に形成されたかご出入口を開閉する前側のかご戸、３はかご室１の前側のかご出入口上方に設けられたかご戸駆動装置であり、上記かご戸２は、かご戸駆動装置３によりその開閉動作が制御されている。なお、かご室１の後側に形成されたかご出入口は、図示しない後側のかご戸によって開閉され、この後側のかご戸は、かご室１の後側の出入口上方に設けられたかご戸駆動装置４によってその開閉動作が制御されている。
【００１２】
５はかご室１の両側に配置された横断面略コ字状を呈するかご枠柱、６はかご室１の上面より所定距離上方に水平に配置され、各かご枠柱５の上端部をかごの間口方向で接続する平面視略四角環状を呈するかご上枠、７は各かご枠柱５の上端部に設けられたガイドシュー、８はかご室１の上面に設けられたかご上部機器である。なお、上記かご上枠６は、その中間部が右側のかご枠柱５の上端部に固定されて、かごの奥行方向（前後方向）に配置された右梁６ａと、その中間部が左側のかご枠柱５の上端部に固定されて、かごの奥行方向に配置された左梁６ｂと、右梁６ａ及び左梁６ｂの各前側端部間に渡って設けられ、右梁６ａ及び左梁６ｂの各前側端部をかごの間口方向で接続する前梁６ｃと、右梁６ａ及び左梁６ｂの各後側端部間に渡って設けられ、右梁６ａ及び左梁６ｂの各後側端部をかごの間口方向で接続する後梁６ｄとから構成される。また、かご上枠６を構成する各梁６ａ乃至６ｄは、それぞれ角パイプで構成されており、前梁６ｃ及び後梁６ｄは、各両端部が右梁６ａ及び左梁６ｂに溶接接合されている。
【００１３】
次に、エレベータ保守作業員の安全性を確保するためにかご上に設けられた手摺装置９の構成について説明する。なお、この手摺装置９は、昇降路頂部の省スペース化を実現するため、折り畳み自在に構成されており、図１乃至図３においては、手摺装置９がエレベータ保守点検時に組み立てられてかご上部に起立された状態（以下、「組立状態」という）を示している。
【００１４】
上記手摺装置９は、かご上に設けられて、所定の動作等によってエレベータの通常運転及び保守運転を切り換える保守切換自動スイッチ９ａと、組立状態においてかごの上部右側に立設される右側手摺１０と、かごの上部左側に立設される左側手摺１１と、右側手摺１０の前側端部を、かごの前側で支持する右前側支持体１２と、右側手摺１０の後側端部を、かごの後側で支持する右後側支持体１３と、左側手摺１１の前側端部を、かごの前側で支持する左前側支持体１４と、左側手摺１１の後側端部を、かごの後側で支持する左後側支持体１５とから構成される。
【００１５】
上記右側手摺１０は、かごの前側及び後側に配置された２本の縦柱１６と、両縦柱１６に溶接接合されて縦柱１６をかごの奥行方向で接続し、かごの上部右側全体に配置される略四角環状を呈する手摺１７とから構成される。そして、各縦柱１６の下端部がかご上枠６の右梁６ａ上面に設けられた回動装置１８に回動自在に支持されることにより、右側手摺１０がかごの内側に傾倒自在に構成される。なお、上記縦柱１６及び手摺１７は、角パイプで構成されている。また、上記左側手摺１１も右側手摺１０と同様に２本の縦柱１６と手摺１７とにより構成され、かごの内側に傾倒自在に支持されている。
【００１６】
また、上記右前側支持体１２は、丸パイプを略Ｌ字状に曲成することにより形成されている。そして、その下端部が、かご上枠６の前梁６ｃ上面にこの前梁６ｃと略平行に配置され、ボルト１９によって前梁６ｃに固定された軸受押え２０により、前梁６ｃに対して回動自在に支持されている。即ち、右前側支持体１２は、組立状態において前梁６ｃ上方に突設されたその上端部が、下端部を中心に回動して、かごの内側に傾倒自在に構成されている。また、右前側支持体１２の上端部には、一側に開口する取付溝２１ａが形成された取付板２１が設けられている。そして、組立状態において、蝶ボルト２２が締め付けられて右側手摺１０のかご内側側面と蝶ボルト２２（締結手段）とによって取付板２１が挟持されることにより、右前側支持体１２の上端部が右側手摺１０の前側端部に固定される。なお、手摺装置９の組立状態においては、右前側支持体１２の上端部が手摺１７に対してかごの内側に隣接するように配置される。
【００１７】
なお、上記右後側支持体１３も、右前側支持体１２と同様の構成を有している。即ち、右後側支持体１３は、その下端部が軸受押え２０により後梁６ｄに回動自在に支持され、組立状態においてその上端部が蝶ボルト２２によって手摺１７の後側端部に固定される。また、左前側支持体１４及び左後側支持体１５は、右前側支持体１２及び右後側支持体１３と同様の構成を有している。即ち、左前側支持体１４及び左後側支持体１５は、各下端部が軸受押え２０によって前梁６ｃ及び後梁６ｄに回動自在に支持され、組立状態においてその上端部が蝶ボルト２２によって手摺１７に固定される。
【００１８】
次に、エレベータの保守作業が終了して手摺装置９が不要になった時に、この手摺装置９をかご上に折り畳んで収納する際の動作及び構成について説明する。なお、図４はこの発明の実施の形態１におけるエレベータのかご上手摺装置の折り畳み動作を説明する図である。図１及び図４において、エレベータ保守作業員は、先ず、蝶ボルト２２を弛緩させることにより、右前側支持体１２の上端部を手摺１７から外し、この右前側支持体１２の上端部をかごの内側に傾倒させる。そして、右後側支持体１３、左前側支持体１４、左後側支持体１５も同様に各上端部を手摺１７から外してかごの内側に傾倒させる。
【００１９】
次に、保守作業員は、右側手摺１０及び左側手摺１１を、縦柱１６の下端部を中心に回転させてかごの内側に傾倒させる。なお、図５は、右側手摺１０、左側手摺１１、各支持体１２乃至１５がかご上枠６上に載置されて手摺装置９が完全に折り畳まれた状態（以下、「収納状態」という）を示したものである。
【００２０】
また、エレベータの保守作業時、保守作業員は、上記収納時の逆の手順によって手摺装置９をかご上に組み立てる。即ち、保守作業員は、先ず、かご上に折り畳まれている右側手摺１０及び左側手摺１１を、縦柱１６の下端部を中心に回転させるように持ち上げ、それぞれ直立状態とする。次に、右前側支持体１２を、その下端部を中心に回転させるように持ち上げて直立状態とし、蝶ボルト２２を手摺１７に締め付けて右前側支持体１２を手摺１７の前側端部に強固に固定する。なお、その後、右後側支持体１３、左前側支持体１４、左後側支持体１５も同様に直立状態として、手摺１７の前後端部にそれぞれ固定する。
【００２１】
この発明の実施の形態１におけるエレベータのかご上手摺装置によれば、各支持体１２乃至１５が略Ｌ字状を呈しているため、かご上手摺装置の組立状態において、かごの前側及び後側に保守作業員が乗降するのに十分な開口部を形成することができ、二方口エレベータ装置にも容易に適用することが可能となる。即ち、乗場出入口と対向する部分を避けて各支持体１２乃至１５を配置することにより、乗降する保守作業員の障害となることはない。なお、乗場出入口と対向する部分を避けるように各支持体１２乃至１５を配置するには、例えば、かご出入口の直上部に各支持体１２乃至１５の上端部を配置しないようにすれば良い。
【００２２】
また、かごの両側に配置された右側手摺１０及び左側手摺１１は、その両端部が各支持体１２乃至１５によって強固に支持されているため、組立状態においても十分な強度及び剛性を確保することができる。したがって、保守作業中に、手摺１７に命綱を掛けた保守作業員が、万一かご上から落下してしまうような事故が発生した場合でも、保守作業員を受け止め、昇降路ピット部への落下を確実に防止することが可能となる。
【００２３】
また、かご上手摺装置は、右側手摺１０及び左側手摺１１、各支持体１２乃至１５が全てかご上枠６に回動自在に支持されているため、その組立及び収納作業が容易で、保守作業の作業性を悪化させる恐れもない。
【００２４】
また、かご上手摺装置の組立時に、蝶ボルト２２を締め付けることによって保守切換自動スイッチ９ａが動作するように構成することにより、自動的に保守運転に切り換えることができ、運転切換スイッチの誤動作を防止することも可能となる
【００２５】
実施の形態２．
図６はこの発明の実施の形態２におけるエレベータのかご上手摺装置の組立状態を示す斜視図、図７は図６におけるＢ部詳細図である。図６及び図７において、右側手摺１０の前側端部を支持する右前側支持体２３は、丸パイプを略Ｌ字状に曲成することによって形成された基体２３ａと、基体２３ａの一端部及び他端部に各端部が溶接固定されて基体２３ａに斜設された筋交い状の支え２３ｂとから構成される。そして、基体２３ａは、その下端部が、かご上枠６の前梁６ｃ上面にこの前梁６ｃと略平行に配置され、ボルト１９によって前梁６ｃに固定された軸受押え２０により、前梁６ｃに対して回動自在に支持されている。即ち、右前側支持体２３は、組立状態において前梁６ｃ上方に突設されたその上端部が、下端部を中心に回動して、かごの内側に傾倒自在に構成されている。
【００２６】
なお、右後側支持体２４、左前側支持体２５、左後側支持体２６も、上記右前側支持体２３と同様の構成を有している。即ち、各支持体２４乃至２６は、基体及び支えによりそれぞれ構成されている。そして、各基体の下端部が軸受押え２０によって前梁６ｃ及び後梁６ｄに回動自在に支持され、組立状態において各上端部が蝶ボルト２２によって手摺１７に固定される。
【００２７】
かかる構成を有することにより、各支持体２３乃至２６の強度及び剛性をさらに高めることができ、右側手摺１０及び左側手摺１１を強固に支持することが可能となる。なお、その他は、実施の形態１と同様の構成及び効果を有する。
【００２８】
実施の形態３．
図８はこの発明の実施の形態３におけるエレベータのかご上手摺装置の組立状態を示す斜視図、図９は図８におけるＣ部詳細図である。図８及び図９において、右側手摺１０の前側端部を支持する外形が略四角形状の梯子状を呈する右前側支持体２７は、丸パイプを略Ｌ字状に曲成することによって形成された基体２７ａと、丸パイプを略Ｌ字状に曲成することによって形成され、一端部が基体２７ａの上端部に、他端部が基体２７ａの下端部に溶接固定されることによって基体２７ａとともに略四角環状を呈するように構成された枠体２７ｂと、組立状態において右前側支持体２７の中間位置に配置される中桟２７ｃとから構成される。そして、基体２７ａは、その下端部が、かご上枠６の前梁６ｃ上面にこの前梁６ｃと略平行に配置され、ボルト１９によって前梁６ｃに固定された軸受押え２０により、前梁６ｃに対して回動自在に支持されている。即ち、右前側支持体２７は、組立状態において前梁６ｃ上方に突設されたその上端部が、下端部を中心に回動して、かごの内側に傾倒自在に構成されている。
【００２９】
なお、右後側支持体２８、左前側支持体２９、左後側支持体３０も、上記右前側支持体２７と同様の構成を有している。即ち、各支持体２８乃至３０は、基体、枠体及び中桟によりそれぞれ構成されている。そして、各基体の下端部が軸受押え２０によって前梁６ｃ及び後梁６ｄに回動自在に支持され、組立状態において各上端部が蝶ボルト２２によって手摺１７に固定される。
【００３０】
かかる構成を有することにより、各支持体２７乃至３０の強度及び剛性をさらに高めることができ、右側手摺１０及び左側手摺１１を強固に支持することが可能となる。また、各支持体２７乃至３０が、右側手摺１０及び左側手摺１１を支持するだけでなく手摺として機能も有するため、乗場出入口と対向する部分以外を全て手摺によって囲むことができ、実用性の高いかご上手摺装置を提供することが可能となる。
【００３１】
実施の形態４．
図１０はこの発明の実施の形態４におけるエレベータのかご上手摺装置の折り畳み動作を説明する図、図１１は図１０におけるＤ部詳細図である。図１０及び図１１において、３１は左前側支持体１４と左側手摺１１の手摺１７とに連結された連結手段であり、この連結手段３１は、所定の長さを有するワイヤー３２と、このワイヤー３２の各端部を左前側支持体１４及び左側手摺１１の手摺１７に固定するボルト３３等の締結手段とから構成されている。なお、図１１に示す連結手段３１は、ワイヤー３２の各端部にリング状のエンド金具３２ａが設けられ、このエンド金具３２ａを介してワイヤー３２が固定されている。
【００３２】
上記構成を有するかご上手摺装置では、その組立時に、保守作業員が左側手摺１１を縦柱１６の下端部を中心に回転させるように持ち上げて直立状態にすると、連結手段３１で手摺１７に連結された左前側支持体１４の上端部も同時に所定の高さまで持ち上がる。即ち、連結手段は、左側手摺１１を直立状態にした際に左前側支持体１４の上端部が所定の高さまで持ち上がるような長さを有している。したがって、保守作業員は、左前側支持体１４を持ち上げるのにかご上で屈み込む必要が無くなり、腰の負担を減少させて且つ作業効率の向上を図ることが可能となる。なお、左後側支持体１５は左側手摺１１の手摺１７の後側端部に、また、右前側支持体１２及び右後側支持体１３は右側手摺１０の手摺１７の各端部に、それぞれ連結手段３１によって連結されている。また、その他は、実施の形態１乃至３の何れかと同様の構成及び効果を有する。
【図面の簡単な説明】
【００３３】
【図１】この発明の実施の形態１におけるエレベータのかご上手摺装置の組立状態を示す斜視図である。
【図２】図１に示すエレベータのかご上手摺装置の要部詳細図である。
【図３】図１におけるＡ部詳細図である。
【図４】この発明の実施の形態１におけるエレベータのかご上手摺装置の折り畳み動作を説明する図である。
【図５】この発明の実施の形態１におけるエレベータのかご上手摺装置の収納状態を示す斜視図である。
【図６】この発明の実施の形態２におけるエレベータのかご上手摺装置の組立状態を示す斜視図である。
【図７】図６におけるＢ部詳細図である。
【図８】この発明の実施の形態３におけるエレベータのかご上手摺装置の組立状態を示す斜視図である。
【図９】図８におけるＣ部詳細図である。
【図１０】この発明の実施の形態４におけるエレベータのかご上手摺装置の折り畳み動作を説明する図である。
【図１１】図１０におけるＤ部詳細図である。
【符号の説明】
【００３４】
１  かご室
２  かご戸
３、４  かご戸駆動装置
５  かご枠柱
６  かご上枠
６ａ  右梁
６ｂ  左梁
６ｃ  前梁
６ｄ  後梁
７  ガイドシュー
８  かご上部機器
９  手摺装置
９ａ  保守切換自動スイッチ
１０  右側手摺
１１  左側手摺
１２、２３、２７  右前側支持体
１３、２４、２８  右後側支持体
１４、２５、２９  左前側支持体
１５、２６、３０  左後側支持体
１６  縦柱
１７  手摺
１８  回動装置
１９、３３  ボルト
２０  軸受押え
２１  取付板
２１ａ  取付溝
２２  蝶ボルト
２３ａ、２７ａ  基体
２３ｂ  支え
２７ｂ  枠体
２７ｃ  中桟
３１  連結手段
３２  ワイヤー
３２ａ  エンド金具
【図１】
0004797563.tif 000002
【図２】
0004797563.tif 000003
【図３】
0004797563.tif 000004
【図４】
0004797563.tif 000005
【図５】
0004797563.tif 000006
【図６】
0004797563.tif 000007
【図７】
0004797563.tif 000008
【図８】
0004797563.tif 000009
【図９】
0004797563.tif 000010
【図１０】
0004797563.tif 000011
【図１１】
0004797563.tif 000012